(57)【要約】移動体通信デバイスのユーザー・インターフェース技法について説明する。一実施態様では、移動体通信デバイスは、当該移動体通信デバイスのＱＷＥＲＴＹキーボードを通じて入力を受け、電話キーパッド・レイアウトにしたがって、この入力における１つ以上の文字を１つ以上の数字に変換する。この１つ以上の対応する数字を用いて、電話コールをかける。【選択図】図１
2012522465.tif 000002
【特許請求の範囲】
【請求項１】
移動体通信デバイスによって実施される方法であって、
前記移動体通信デバイスのＱＷＥＲＴＹキーボードを通じて入力を受けるステップ（２０２）と、
電話キーパッド・レイアウトにしたがって、前記入力における１つ以上の文字を１つ以上の対応する数字に変換するステップ（２０４）と、
前記１つ以上の対応する数字を用いて電話コールをかけるステップ（２０６）と、
を含む、方法。
【請求項２】
請求項１記載の方法において、前記変換が、
文字Ａ、Ｂ、およびＣを、前記電話キーパッド・レイアウトにおける数字２に変換し、
文字Ｄ、Ｅ、およびＦを、前記電話キーパッド・レイアウトにおける数字３に変換し、
文字Ｇ、Ｈ、およびＩを、前記電話キーパッド・レイアウトにおける数字４に変換し、
文字Ｊ、Ｋ、およびＬを、前記電話キーパッド・レイアウトにおける数字５に変換し、
文字Ｍ、Ｎ、およびＯを、前記電話キーパッド・レイアウトにおける数字６に変換し、
文字Ｐ、Ｑ、Ｒ、およびＳを、前記電話キーパッド・レイアウトにおける数字７に変換し、
文字Ｔ、Ｕ、およびＶを、前記電話キーパッド・レイアウトにおける数字８に変換し、
文字Ｗ、Ｘ、Ｙ、およびＺを、前記電話キーパッド・レイアウトにおける数字９に変換する、
ように実行される、方法。
【請求項３】
請求項１記載の方法において、少なくとも１つの前記入力が、前記ＱＷＥＲＴＹキーボードの第1および第２キーを同時に選択して、前記第２キーに対する少なくとも２つの代替入力のうち特定の１つを指定することによって形成される、方法。
【請求項４】
請求項３記載の方法において、前記少なくとも２つの代替入力のうち前記特定の１つが文字であり、前記少なくとも２つの代替入力のうち他の１つが数字である、方法。
【請求項５】
請求項３記載の方法において、前記第１または第２キーがシフト・キーである、方法。
【請求項６】
請求項１記載の方法において、前記ＱＷＥＲＴＹキーボードが、ハードウェアで実現された、方法。
【請求項７】
請求項１記載の方法において、前記ＱＷＥＲＴＹキーボードのキーの部分集合が、文字および数字の表現を含み、
前記数字が、電話キーパッド・レイアウトに従う、方法。
【請求項８】
移動体通信デバイス（１０２）であって、
ディスプレイ・デバイス（１１２）と、
ＱＷＥＲＴＹキーボード（１１６）と、
電話コールをかけ、前記ＱＷＥＲＴＹキーボードを通じて受け取られた入力における１つ以上の文字を、前記電話コールをかけるために用いられる、対応する番号（３０２）に変換するように構成された１つ以上のモジュールと、
を含み、
文字Ａ、Ｂ、およびＣが、前記電話キーパッド・レイアウトにおける数字２に変換され、
文字Ｄ、Ｅ、およびＦが、前記電話キーパッド・レイアウトにおける数字３に変換され、
文字Ｇ、Ｈ、およびＩが、前記電話キーパッド・レイアウトにおける数字４に変換され、
文字Ｊ、Ｋ、およびＬが、前記電話キーパッド・レイアウトにおける数字５に変換され、
文字Ｍ、Ｎ、およびＯが、前記電話キーパッド・レイアウトにおける数字６に変換され、
文字Ｐ、Ｑ、Ｒ、およびＳが、前記電話キーパッド・レイアウトにおける数字７に変換され、
文字Ｔ、Ｕ、およびＶが、前記電話キーパッド・レイアウトにおける数字８に変換され、
文字Ｗ、Ｘ、Ｙ、およびＺが、前記電話キーパッド・レイアウトにおける数字９に変換される、移動体通信デバイス。
【請求項９】
請求項８記載の移動体通信デバイスにおいて、前記１つ以上のモジュールが、更に、
入力を受け入れるように構成されたサーチ部を有するディスプレイ・デバイス上にユーザー・インターフェースを表示し、
前記入力に対応する１つ以上の連絡先を、前記ユーザー・インターフェースに表示し、
前記入力に対応する電話番号を、前記ユーザー・インターフェースに表示する、
ように構成された、移動体通信デバイス。
【請求項１０】
請求項９記載の移動体通信デバイスにおいて、前記連絡先の名前に前記入力の１つ以上の文字を含むことによって、前記１つ以上の連絡先が前記入力に対応する、移動体通信デバイス。
【請求項１１】
請求項９記載の移動体通信デバイスにおいて、前記連絡先の名前に前記入力の１つ以上の文字を含むことによって、前記１つ以上の連絡先が前記入力に対応する、移動体通信デバイス。
【請求項１２】
請求項９記載の移動体通信デバイスにおいて、前記１つ以上のモジュールが、前記入力を連続して受けるに連れて、前記１つ以上の連絡先の表示および前記電話番号の表示をリアル・タイムで更新させる、移動体通信デバイス。
【請求項１３】
請求項８記載の移動体通信デバイスにおいて、
少なくとも１つの前記入力が、前記ＱＷＥＲＴＹキーボードの第１および第２キーを同時に選択して、前記第２キーに対する少なくとも２つの代替入力のうち特定の１つを指定することによって形成され、
前記少なくとも２つの代替入力のうち前記特定の１つが文字であり、前記少なくとも２つの代替入力のうち他の１つが数字である、移動体通信デバイス。
【発明の詳細な説明】
【従来技術】
【０００１】
[0001]  移動体通信デバイス（例えば、ワイヤレス電話機）は、毎日の生活の一体部分となっており、多くの場合、主要通信ツールとしてユーザーの家庭用電話機とも置き換わっている。しかしながら、移動体通信デバイスは、一般に、その移動体通信デバイスの移動性を高めるために、比較的小さな形状係数を有する。しかしながら、比較的小さな形状係数を用いる結果、追加機能を含ませるために移動体通信デバイスを構成するときに、種々の課題が生ずる可能性がある。
【発明の概要】
【発明が解決しようとする課題】
【０００２】
[0002]  例えば、ユーザーは従前では移動体通信デバイス間の電話コールに限定されていた。次いで、技術進歩がなされ、種々の他の通信技法、例えば、テキスト・メッセージングおよび電子メールが提供されるようになった。しかしながら、これら余分な通信技法を移動体通信デバイスに含ませることによって、移動体通信デバイスと対話処理するために用いられていた従前からの技法が、以前よりも望ましくなくなる場合がある。例えば、従前の移動体通信デバイスによって採用されていた従前の入力デバイスは、電子メール、テキスト・メッセージング、およびウェブ・ブラウジングというようなテキストを多く用いる機能と対比すると、非効率的になる可能性がある。
【課題を解決するための手段】
【０００３】
[0003]  移動体通信デバイスのユーザー・インターフェース技法について説明する。一実施態様では、移動体通信デバイスは、当該移動体通信デバイスのＱＷＥＲＴＹキーボードを通じて入力を受け、電話キーパッド・レイアウトにしたがって、この入力における１つ以上の文字を１つ以上の数字に変換する。この１つ以上の対応する数字を用いて、電話コールをかける。
【０００４】
[0004]  この摘要は、詳細な説明において以下で更に説明する概念から選択したものを、簡略化した形態で紹介するために設けられている。この摘要は、特許請求する主題の主要な特徴や必須の特徴を特定することを意図するのではなく、特許請求する主題の範囲を判断するときに補助として用いられることを意図するのでもない。
【図面の簡単な説明】
【０００５】
[0005]  添付図面を参照しながら詳細な説明を行う。図面においては、参照番号のうち最も左側にある数字（１つまたは複数）が、その参照番号が最初に出てきた図を特定する。説明および図における異なる実例において同じ参照番号が用いられる場合、同様のまたは同一の項目を示すことができる。
【図１】図１は、移動体通信用デバイス、機構、およびシステムの１つ以上の実施形態による移動体通信デバイスの実施態様の一例の図である。
【図２】図２は、ＱＷＥＲＴＹキーボードを通じて受けた入力が、電話キーパッド・レイアウトにしたがって変換される実施態様の一例における手順を示す流れ図である。
【図３】図３は、図２のユーザー・インターフェースを出力する場合における、図１のユーザー・インターフェース・モジュールを更に詳細に示す実施態様の一例の図である。
【図４】図４は、連絡先および電話番号を突き止めるために入力を受け入れるように構成されているサーチ部を含むユーザー・インターフェースが表示されている実施態様の一例における手順を示す流れ図である。
【図５】図５は、図４のユーザー・インターフェースを出力している場合における、図１の移動体通信デバイスの実施態様の一例を示す。
【図６】図６は、移動体通信用デバイス、機構、およびシステムの実施形態を実現するために、任意のタイプの移動体通信デバイスとして種々の実施形態において実現することができるデバイスの一例の種々のコンポーネントを示す。
【発明を実施するための形態】
【０００６】
全体像
[0012]  移動体通信デバイスの機能が増えて行くに連れて、この機能にアクセスするための従来の入力デバイスの使用が、増々苛々する元になる場合がある。例えば、従来の１２キー電話キーパッドを用いて電子メールを作成するには、１つの文字を入力するために、１つのキーを２回、３回、そして４回も「タッピング」(tapping)しなければならないこともある。同様の苛々は、テキスト・メッセージを作成するとき、インターネットをブラウズするとき、アプリケーションと対話処理するとき等にも遭遇することがある。
【０００７】
[0013]  これらの課題に取り組むために開発された１つの技術では、ＱＷＥＲＴＹキーボードを含ませるように移動体通信デバイスを構成することを伴う。ＱＷＥＲＴＹキーボードを用いると、ユーザーは、電話キーパッドを用いたテキストの入力と比較すると、高い効率でテキストを入力できることが多い。しかしながら、ＱＷＥＲＴＹキーボードのサイズが小さくなるために、一部の機能が失われることもある。例えば、ユーザーは、少なくとも部分的に文字を用いて表される「バニティ」電話番号(vanity telephone number)をダイアルする(dial)（例えば、１−８００−ＦＬＯＷＥＲＳ）ことが難しいと感じることがある。何故なら、ユーザーはどの数字キーがどの文字に対応するのか忘れることがあるからである。
【０００８】
[0014]  一実施態様では、移動体通信デバイス（移動体電話機のような）が、ＱＷＥＲＴＹキーボードを通じて入力された文字を番号に変換して電話コールをかけるように構成されている。このように、電話キーパッド・レイアウトにおいてどの数字キーがどの文字に対応するのかユーザーが覚えていることを拠り所とすることなく、電話コールを素早くダイアルすることができる。ＱＷＥＲＴ入力の変換についての更なる論述は、図２および図３に関して見いだすことができる。
【０００９】
[0015]  他の実施態様では、ユーザー・インターフェースは、１つのユーザー・インターフェースからサーチおよび電話ダイアリングを提供するように構成されている。例えば、ユーザーが移動体通信デバイスに「ホーム・スクリーン」にナビゲートさせるとき、ユーザーがサーチを実行するまたは電話番号をダイアルしようとする可能性が高くなる。したがって、ユーザー・インターフェースは、このユーザー・インターフェースから離れてナビゲートすることなく、双方の動作に用いることができる１つのサーチ部を設けるように構成することができる。例えば、ユーザーがユーザー・インターフェースにおいてサーチ・クエリーを与え、リアル・タイムでサーチ結果を受け取り、このサーチ結果が、サーチ・クエリーに対応する連絡先および／または電話番号を示す。これについての更なる論述は、図４および図５に関して見いだすことができる。
【００１０】
[0016]  以下の論述において、移動体通信デバイスの種々の実施態様例が示される。加えて、移動体通信デバイスが用いることができる種々の異なる機能についても、例毎に説明する。これらの機能は、その例だけでなく、他に記載する例においても実現することができる。したがって、考えられる種々の実施態様のうち、数個の実施態様例を例示することになる。更に、電話機能を設けるように構成されている１つ以上のモジュールの有する移動体通信デバイスについて説明するが、専用メッセージング・デバイス、音楽プレーヤー、携帯用ゲーム・デバイス等というような、種々の他の移動体通信デバイスも考えられる。
環境例
[0017]  図１は、移動体通信用デバイス、機構、およびシステムの１つ以上の実施形態による移動体通信デバイス１０２の実施態様の一例１００の図である。移動体通信デバイス１０２は、種々の方法で構成することができ、このような方法の１つが、図１に示されているような移動体電話機である。
【００１１】
[0018]  移動体デバイス１０２は、セルラ・フォン、ネットワーク接続、および／またはデーター取り出し機能を環境１００の種々の態様に提供するように、ネットワーク１０６と通信する機能を表す通信モジュール１０４を含む。したがって、ネットワーク１０６は多種多様の構成を取ることができる。例えば、ネットワーク１０６は、セルラ電話ネットワーク、インターネット、ワイド・エリア・ネットワーク（ＷＡＮ）、ローカル・エリア・ネットワーク（ＬＡＮ）、ワイヤレス・ネットワーク（例えば、ＷＩＦＩ（ＩＥＥＥ８０２．１１）ネットワーク）、公衆電話ネットワーク、エキストラネット、イントラネット等を含むことができる。更に、１つのネットワーク１０６が示されているが、ネットワーク１０６は、複数のネットワークを含むように構成することもできる。例えば、移動体通信デバイス１０２がスマート・フォンとして構成されている場合、セルラ電話ネットワークを通じて企業のイントラネット内にあるウェブページにアクセスすることができる。種々の他の実例も考えられる。
【００１２】
[0019]  移動体通信デバイス１０２は、第１および第２筐体１０８、１１０を有するように示されているが、１つの筐体または追加の筐体も考えられる。第１筐体１０８は、ディスプレイ・デバイス１１２を含むように示されている。ディスプレイ・デバイス１１２は、種々の方法で構成することができる。実施形態では、ディスプレイ・デバイス１１２は、ＬＣＤ（液晶ダイオード）ディスプレイ、ＴＦＴ（薄膜トランジスタ）ＬＣＤディスプレイ、ＬＥＰ（発光ポリマーまたはＰＬＥＤ（ポリマー発光ダイオード）ディスプレイ等を備えることができ、テキストおよび／またはグラフィカル・ユーザー・インターフェース１１４のようなグラフィカル情報を表示するように構成されている。ディスプレイ１１２は、バックライトによって照明することができ、暗い環境または他の低照明環境においても見ることができるようにするとよい。具体的な実施態様では、ディスプレイ１１２には、データーおよびコマンドの入力用にタッチ・スクリーン１１４を備えることができる。
【００１３】
[0020]  図示されている第２筐体１１０は、ＱＷＥＲＴＹキーボード１１６を含。ＱＷＥＲＴＹキーボード１１６は、ＱＷＥＲＴＹレイアウトに従っており、「Ｑ」、「Ｗ」、「Ｅ」、「Ｒ」、「Ｔ」、および「Ｙ」のキーが、文字キーの最上列における最初の６つの文字キーとなっている。ＱＷＥＲＴＹレイアウトは、通例、ラテン・アルファベットの文字を入力するために採用される。
【００１４】
[0021]  また、移動体通信デバイス１０２は、ユーザー・インターフェース・モジュール１１８も含むように示されている。ユーザー・インターフェース・モジュール１１８は、移動体通信デバイス１０２がディスプレイ・デバイス１１２による出力に合わせてユーザー・インターフェース１１４を発生する機能を表す。種々の異なる技法も、ユーザー・インターエース１１４を構成するために用いることができる。
【００１５】
[0022]  例えば、ユーザー・インターフェース・モジュール１１８は、ＱＷＥＲＴＹキーボード１１６を通じて入力された文字を、電話キーパッド・レイアウトに対応する数字に変換するように構成することができる。このように、ユーザーは、ＱＷＥＲＴＹキーボード１１６を用いて、少なくとも部分的に文字を用いて表されている「バニティ」電話番号をダイアルすることができるとよい。ユーザー・インターフェース・モジュール１１８を用いて実現することができる変換技法の更なる論述は、図３および図４に関して見いだすことができる。
【００１６】
[0023]  他の例では、ユーザー・インターフェース１１４は、サーチ部１２０を含むように構成することができる。サーチ部１２０は、サーチ部１２０の選択後に、ＱＷＷＥＲＴＹキーボード１１６におけるタイプ入力を通じてというようにして、１つ以上の入力を受けるように構成されている。一実施態様では、サーチ部１２０を手動で選択することなく、サーチ部１２０に入力を表示することができる。例えば、サーチ部１２０は、移動体通信デバイス１０２のホーム・スクリーンの一部として表示することができる。ホーム・スクリーンが表示されているとき、ＱＷＥＲＴＹキーボード１１６の１つ以上のキーを押下すると、自動的にそれぞれの文字、数字、またはシンボルをサーチ部１２０に入力することができる。
【００１７】
[0024]  ユーザーがホーム・スクリーンにあるとき、例えば、ユーザーは２つの動作、即ち、サーチすること（例えば、１つ以上の連絡先１２２を求める）または電話番号をダイアルすることのいずれかを望む可能性が高くなる。したがって、この例では、ユーザー・インターフェース・モジュール１１８は、ユーザーがサーチ部１２０を通じてサーチ・クエリーを実行するかまたは番号をダイアルすることを可能にするように、ユーザー・インターフェース１１４を構成することができる。ユーザーが入力を供給すると（例えば、ＱＷＥＲＴＹキーボード１１６を通じて）、サーチ部１２０にクエリーが表示される。加えて、サーチ結果１２４は、ユーザーがタイプ入力するに連れて自動的に更新することができる。このサーチ結果１２４は、図１のユーザー・インターフェース１１４において、対応する文字および／または数字を含む連絡先のリストとして示されている。
【００１８】
[0025]  また、対応する数字は、ユーザー・インターフェース１１４に出力することもできる。これらの数字は、以前の例において説明したように、電話キーパッド・レイアウトに対応する。一実施態様では、フォン・アイコン１２６および／またはフォン・ハードウェア・キー１２８を選択すると、移動体通信デバイス１０２に電話番号をダイアルさせる。尚、これらの技法は、ホーム・スクリーン以外にも種々の他の実例において採用できることは容易に認められよう。その更なる論述は、図４および図５に関して見いだすことができる。
【００１９】
[0026]  一般に、本明細書において記載する機能のうち任意のものは、ソフトウェア、ファームウェア（例えば、固定論理回路）、手動処理、またはこれらの実施態様の組み合わせを用いて実現することもできる。「モジュール」、「機能」、および「ロジック」という用語は、本明細書において用いられる場合、ソフトウェア、ファームウェア、またはソフトウェアおよびファームウェアの組み合わせを一般に表す。ソフトウェア実施態様の場合、モジュール、機能、またはロジックは、プロセッサー（例えば、ＣＰＵまたは複数のＣＰＵ）において実行したときに、指定されたタスクを実行するプログラム・コードを表す。プログラム・コードは、１つ以上のコンピューター読み取り可能メモリー・デバイスに格納することができる。その更なる説明は、図６に関して見いだすことができる。以下で説明する技法の特徴は、プラットフォームに依存しないことであり、これらの技法が、種々のプロセッサーを有する種々の商用計算プラットフォームにおいて実現できることを意味する。
手順例
[0027]  以下の論述では、既に説明したシステムおよびデバイスを利用して実現することができる技法について説明する。手順の各々の態様は、ハードウェア、ソフトウェア、またはその組み合わせで実現することができる。これらの手順は、１つ以上のデバイスによって実行される動作を指定する１組のブロックとして示され、それぞれのブロックによって動作を実行するために示される順序には必ずしも限定されない。以下の論述の一部において、図１の環境１００参照する。
【００２０】
[0028]  図２は、ＱＷＥＲＴＹキーボードを通じて受け取られた入力が、電話キーパッド・レイアウトにしたがって変換される実施態様の一例における手順２００を示す。図２の論述の間、図３も参照する。図３は、図１の移動体通信デバイスが、図２にしたがってユーザー・インターフェースを出力する場合における実施態様の一例を示す。
【００２１】
[0029]  移動体通信デバイスのＱＷＥＲＴＹキーボードを通じて、入力を受ける（ブロック２０２）。例えば、ユーザーは「１８００」を入力し、文字キー「Ｆ」、「Ｆ」、「Ｏ」、「Ｗ」、「Ｅ」、「Ｒ」、「Ｓ」を押下することができる。
【００２２】
[0030]  電話キーパッド・レイアウトにしたがって、この入力における１つ以上の文字を、１つ以上の対応する数字に変換する（ブロック２０４）。これより図３を参照すると、図１のユーザー・インターフェース・モジュール１１８を更に詳細に示す実施態様の一例３００が図示されている。ユーザー・インターフェース・モジュール１１８は、変換モジュール３０２を含むように示されている。変換モジュール３０２は、電話キーパッド・レイアウト３０４にしたがって、ＱＷＥＲＴＹキーボードを通じて受けた入力を変換する機能を表す。
【００２３】
[0031]  電話キーパッド・レイアウト３０４によって示されるように、「バニティ」数字をサポートするために、アルファベットの文字がそれぞれの数字にマッピングされている。例えば、文字Ａ、Ｂ、およびＣは、電話キーパッド・レイアウトにおける数字２にマッピングされている。文字Ｄ、Ｅ、およびＦは、数字３にマッピングされている。文字Ｇ、Ｈ、およびＩは、数字４にマッピングされている。文字Ｊ、Ｋ、およびＬは、数字５にマッピングされている。文字Ｍ、Ｎ、およびＯは、数字６にマッピングされている。文字Ｐ、Ｑ、Ｒ、およびＳは、数字７にマッピングされている。文字Ｔ、Ｕ、およびＶは、数字８にマッピングされている。文字Ｗ、Ｘ、Ｙ、およびＺは、文字９にマッピングされている。したがって、電話キーパッド・レイアウト３０４を用いてバニティ番号をダイアルするには、ユーザーは、一般に、キー上に表示されている文字に対応する数字を押下していた。
【００２４】
[0032]  しかしながら、移動体通信デバイス１０２によって用いられているＱＷＥＲＴＹキーボードでは、キーボードが、１つのキー上にこれらの文字の各々を表示するだけの十分な空間を有していない場合もある。したがって、変換モジュール３０２を用いて、電話キーパッド・レイアウト３０４にしたがって、ＱＷＥＲＴＹキーボード１１６におけるキーに対応する文字を変換するとよい。例えば、図３に示すように、ユーザーは、ＱＷＥＲＴＹキーボード１１６を通じて１−８００−ＦＬＯＷＥＲＳと入力し、これを電話番号「１−８００−３５６−９３７７」に変換させることができる。次いで、１つ以上の対応する番号を用いて、電話コールをかけることができる（ブロック２０６）。ＱＷＥＲＴＹキーボードによって供給される入力の変換には、種々の他の実施態様も考えられる。
【００２５】
[0033]  例えば、場合によっては、移動体通信デバイス１０２によって採用されているＱＷＥＲＴＹキーボード１１６のキーの部分集合を、代わりの入力を供給するように構成することもできる。図３に示す実例では、キーが「ｕ」の入力、または「ａｌｔ」キーも押下されているときには「１」の入力を供給するように構成されている。したがって、電話番号をダイアルするためというようなときには、第１および第２キーの選択（例えば、「ｕ」キーおよび「ａｌｔ」キー３０６）を用いて、「１」を入力することができる。
【００２６】
[0034]  しかしながら、これらの代替入力が、少なくとも部分的に文字を用いて表されている電話番号の入力を複雑にすることもある。例えば、ユーザーが「ｕ」を押下したとき、電話キーパッド・レイアウト３０４にしたがって、「ｕ」を１としてカウントすべきか（図示されている例では、「ｕ」および「１」が１つのキーを共有しているため）、または「８」としてカウントすべきか明確でない場合がある。
[0035]  したがって、これらの実例を区別するために、どちらの入力が意図されているのか指定するために、第２キーを用いることができる。例えば、１−８００−ＦＬＯＷＥＲＳをダイアルするために、ユーザーは、文字ＦＬＯＷＥＲＳを入力しているとき、ＳＨＩＦＴキー３０８を押し続けることができる。このように、変換モジュール３０２は、この図示の例では、ユーザーが「ＦＬＯＷＥＲＳ」をダイアルするのは、Ｆ６３ＷＥＲＳではなく、３５６９１１にマッピングすることを意図していると判断することができる。例えば、１−８００−ＣＡＲＳ−４−ＵＳのような、種々の他の例も考えられる。
【００２７】
[0036]  図４は、連絡先および電話番号を突き止めるために入力を受け入れるように構成されているサーチ部を含むユーザー・インターフェースが表示される実施態様の一例における手順４００を示す。図４の論述の間、図５も参照する。図５は、図１の移動体通信デバイス１０２の実施態様の一例５００を示す。
【００２８】
[0037]  移動体通信デバイスのディスプレイ・デバイス上に、ユーザー・インターフェースが表示されている。このユーザー・インターフェースは、入力を受け入れるように構成されているサーチ部を含む（ブロック４０２）。例えば、サーチ部１２０は、ユーザー・インターフェース１１４の中に表示され、ＱＷＥＲＴＹキーボード１１６を通じて１つ以上の入力を受け入れるように構成することができるが、他のキーボードも考えられる。
【００２９】
[0038]  この入力に応答して、ユーザー・インターフェースには、この入力に対応する１つ以上の連絡先が表示される（ブロック４０４）。連絡先１２２は、種々の方法で対応することができる。例えば、連絡先１２２は、入力の１つ以上の文字を含むことによって、名前５０２で対応することができる。その例が、ユーザー・インターフェース１１４において、サーチ部１２０における入力「ｅｌｅ」に対する「Ｅｌｅａｎｏｒ」および「Ｅｌｅｃｔｒｉｃ」として示されている。
【００３０】
[0039]  また、連絡先１２２は、電話番号「３５３−０５２９」のように、番号５０４で対応することもできる。この場合、図２および図３の変換技法に関して説明したように、番号「３５３」は、電話キーパッド・レイアウト３０４にしたがって変換された場合の入力「ｅｌｅ」に対応する。連絡先１２２の住所に含まれる名前５０２および／または数字５０４のように、種々の他の例も考えられる。この例では、サーチ部１２０を通じて入力が受け取られるに連れて、サーチ結果（例えば、ユーザー・インターフェース１１４に表示されている連絡先）をリアル・タイムで更新することができる。
【００３１】
[0040]  入力に応答して、入力から変換された電話番号が、ユーザー・インターフェースに表示される（ブロック４０６）。図５に示すように、例えば、変換された入力は、サーチ部１２０および他の部分５０６に表示される。この例では、入力が受け取られるに連れて、電話番号をリアル／タイムで更新することができる。種々の他の例も考えられる。
移動体通信デバイス例
[0041]  図６は、移動体通信用デバイス、機構、およびシステムの実施形態を実現するために、任意のタイプの移動体通信デバイスとして種々の実施形態において実現することができるデバイスの一例６００の種々のコンポーネントを示す。例えば、デバイス６００は、それぞれ図１から図５を参照して説明した移動体通信デバイス１０２のうち任意のものとして実現することができる。また、デバイス６００は、コンテンツ・サービスのような、ネットワーク・ベース・サービスにアクセスするために実現することもできる。
【００３２】
[0042]  デバイス６００は、インターネット・プロトコル（ＩＰ）入力を含むことができる入力（１つまたは複数）６０２を含む。更に、デバイス６００は、ワイヤレス・インターフェースの任意の１つ以上、任意のタイプのネットワーク・インターフェース、および任意の他のタイプの通信インターフェースとして実装することができる通信インターフェース（１つまたは複数）６０４を含む。ネットワーク・インターフェースは、デバイス６００と通信ネットワークとの間に接続を設け、この接続によって、他の電子デバイスおよび計算機がデバイス６００とデーターをやり取りすることができる。ワイヤレス・インターフェースは、移動体電話機として動作するための電話機能を含ませることを可能にするというように、デバイス６００がワイヤレス通信用移動体通信デバイスとして動作することを可能にする。
【００３３】
[0043]  また、デバイス６００は1つ以上のプロセッサー６０６（例えば、マイクロプロセッサー、コントローラー等のうち任意のもの）も含む。プロセッサー６０６は、デバイス６００の動作を制御するため、および他の電子デバイスと通信するための種々のコンピューター実行可能命令を処理する。デバイス６００には、１つ以上のメモリー・コンポーネントのような、コンピューター読み取り可能媒体６０８を実装することができる。その例には、ランダム・アクセス・メモリー（ＲＡＭ）および不揮発性メモリー（例えば、リード・オンリ・メモリー（ＲＯＭ）、フラッシュ・メモリー、ＥＰＲＯＭ、ＥＥＰＲＯＭ等のうち任意の１つ以上）を含む。
【００３４】
[0044]  コンピューター読み取り可能媒体６０８は、コンテンツおよびデーター６１０、ならびにデバイス・アプリケーションや、デバイス６００の動作的態様に関する他の任意のタイプの情報および／またはデーターを格納するためにデーター・ストアを設ける。例えば、オペレーティング・システム６１２は、コンピューター読み取り可能媒体６０８によってコンピューター・アプリケーションとして維持し、プロセッサー（１つまたは複数）６０６において実行することができる。また、デバイス・アプリケーションは、通信マネージャー・モジュール６１４（電話機能を設けるために用いることができる）、およびメディア・マネージャー６１６も含むことができる。
【００３５】
[0045]  また、デバイス６００は、オーディオおよび／またはビデオ・データーをオーディオ・レンダリングおよび／またはディスプレイ・システム６２０に供給する、オーディオおよび／またはビデオ出力６１８も含む。オーディオ・レンダリングおよび／またはディスプレイ・システム６２０は、デバイス例６００の統合コンポーネント（１つまたは複数）として実現することができ、オーディオ、ビデオ、および画像データーを処理、表示、および／またはそれ以外でレンダリングする任意のコンポーネントを含むことができる。また、デバイス６００は、振動および触覚のような、ユーザー触感フィードバックを供給するために実現することもできる。
【００３６】
[0046]  一般に、ブロックは、表された機能を設けるように構成されたモジュールを表すことができる。更に、本明細書において記載した機能のうち任意のものは、ソフトウェア、ファームウェア（例えば、固定論理回路）、手動処理、またはこれらの実施態様の組み合わせを用いて実現することもできる。「モジュール」、「機能」、および「ロジック」という用語は、本明細書において用いられる場合、ソフトウェア、ファームウェア、またはソフトウェアおよびファームウェアの組み合わせを一般に表す。ソフトウェア実施態様の場合、モジュール、機能、またはロジックは、プロセッサー（例えば、ＣＰＵまたは複数のＣＰＵ）において実行したときに、指定されたタスクを実行するプログラム・コードを表す。プログラム・コードは、１つ以上のコンピューター読み取り可能メモリー・デバイスに格納することができる。以上で説明した技法の特徴は、プラットフォームに依存しないことであり、これらの技法が、種々のプロセッサーを有する種々の商用計算プラットフォームにおいて実現できることを意味する。
結論
[0047]  以上、構造的特徴および／または方法論的動作に特定的な文言で本発明について説明したが、添付した特許請求の範囲において定められている発明は、説明した特定の特徴や動作には必ずしも限定されない。むしろ、これら特定の特徴や動作は、特許請求する発明を実現する形態例として開示したのである。
【図１】
2012522465.tif 000003
【図２】
2012522465.tif 000004
【図３】
2012522465.tif 000005
【図４】
2012522465.tif 000006
【図５】
2012522465.tif 000007
【図６】
2012522465.tif 000008
【国際調査報告】
2012522465.tif 000009
2012522465.tif 000010